(57)【要約】【課題】会議参加者が持つ画像データを簡便な操作によって表示装置に集積可能にする。【解決手段】表示制御部４４は、会議参加者の接近に伴い表示画面上における表示位置を特定するためのマーカを大型ディスプレイ４１に敷き詰めて表示する。会議参加者が携帯電話１０のカメラを利用して大型ディスプレイ４１の一部分を撮影すると、その撮像データと、撮影範囲に表示したい表示データとを電子メールにて送信する。表示情報結合部４３は、撮像データを画像解析して撮像データに含まれるマーカから撮影範囲を特定する。表示制御部４４は、表示中の画像データと、その撮影範囲を表示領域とした表示データとを合成して画面イメージを合成して大型ディスプレイ４１に表示する。【選択図】図２
2007221363.tif 000002
【特許請求の範囲】
【請求項１】
会議室に設置された表示装置と、
会議参加者が使用する撮影機能付き情報端末機器と、
前記表示装置の表示制御を行うと共に、前記表示装置の表示画面上における表示位置を特定するためのマーカを前記表示画面に敷き詰めて表示する表示制御手段と、
マーカの表示位置に関する情報を保持管理するマーカ管理手段と、
前記表示画面にマーカが表示されているときに会議参加者が前記撮影機能付き情報端末機器を用いて前記表示画面を部分的に撮影したときの撮像データを画像解析することによって特定された撮影範囲に含まれる各マーカの表示位置に関する情報を前記マーカ管理手段から取得し、その取得した当該各マーカの表示位置に関する情報から前記表示画面上における撮影領域を特定する撮影領域特定処理手段と、
特定された撮影領域に表示する表示データを取得する取得手段と、
前記撮影機能付き情報端末機器を用いて撮影した時点において前記表示装置に表示中の画像データと前記表示データとを合成することで前記表示装置に表示する画面イメージを生成する表示画像合成処理手段と、
を有することを特徴とする電子会議システム。
【請求項２】
会議室に設置された表示装置を接続したコンピュータを、
前記表示装置の表示制御を行うと共に、前記表示装置の表示画面上における表示位置を特定するためのマーカを前記表示画面に敷き詰めて表示する表示制御手段、
マーカの表示位置に関する情報を保持管理するマーカ管理手段、
前記表示画面にマーカが表示されているときに会議参加者が撮影機能付き情報端末機器を用いて前記表示画面を部分的に撮影したときの撮像データを画像解析することによって特定された撮影範囲に含まれる各マーカの表示位置に関する情報を前記マーカ管理手段から取得し、その取得した当該各マーカの表示位置に関する情報から前記表示画面上における撮影領域を特定する撮影領域特定処理手段、
特定された撮影領域に表示する表示データを取得する取得手段、
前記撮影機能付き情報端末機器を用いて撮影した時点において前記表示装置に表示中の画像データと前記表示データとを合成することで前記表示装置に表示する画面イメージを生成する表示画像合成処理手段、
として機能させる電子会議支援プログラム。
【請求項３】
請求項２記載の電子会議支援プログラムにおいて、前記コンピュータを更に、
会議参加者の前記表示画面への接近を検出する検出手段として機能させ、
前記表示制御手段は、前記検出手段が会議参加者の接近を検出したときにマーカを表示中の画面イメージに撮影可能に画面表示することを特徴とする電子会議支援プログラム。
【請求項４】
請求項２記載の電子会議支援プログラムにおいて、
マーカの表示位置に関する情報は、マーカの識別情報と、当該マーカが画面表示されたときに前記表示装置に表示中の画像データを特定するための情報と、当該マーカの前記表示画面における表示位置を特定するための情報とを対応付して構成されることを特徴とする電子会議支援プログラム。
【請求項５】
会議室に設置された表示装置の表示制御を行うと共に、前記表示装置の表示画面上における表示位置を特定するためのマーカを前記表示画面に敷き詰めて表示する表示制御手段と、
マーカの表示位置に関する情報を保持管理するマーカ管理手段と、
前記表示画面にマーカが表示されているときに会議参加者が撮影機能付き情報端末機器を用いて前記表示画面を部分的に撮影したときの撮像データを画像解析することによって特定された撮影範囲に含まれる各マーカの表示位置に関する情報を前記マーカ管理手段から取得し、その取得した当該各マーカの表示位置に関する情報から前記表示画面上における撮影領域を特定する撮影領域特定処理手段と、
特定された撮影領域に表示する表示データを取得する取得手段と、
前記撮影機能付き情報端末機器を用いて撮影した時点において前記表示装置に表示中の画像データと前記表示データとを合成することで前記表示装置に表示する画面イメージを生成する表示画像合成処理手段と、
を有することを特徴とする電子会議制御装置。
【請求項６】
撮影機能搭載の情報端末機器に搭載されたコンピュータを、
表示画面上における表示位置を特定するためのマーカが敷き詰めて表示されている状態の会議室設置の表示装置の表示画面を部分的に撮影されたときに撮像データを生成する撮影処理手段、
前記撮影処理手段により撮影された撮像データと、撮影時点において前記表示装置に表示されている画像データに対して前記撮影処理手段により撮影された撮影範囲に合成して表示する表示データに関する情報とを情報端末機器ユーザに入力指定させ、その入力指定された撮像データと表示データに関する情報とを含む表示情報を生成する表示情報生成処理手段、
前記表示情報生成処理手段により生成された表示情報を電子会議システムに含まれる表示情報管理コンピュータへ送信する表示情報送信手段、
として機能させる電子会議支援プログラム。
【請求項７】
表示画面上における表示位置を特定するためのマーカが敷き詰めて表示されている状態の会議室設置の表示装置の表示画面を部分的に撮影されたときに撮像データを生成する撮影処理手段、
前記撮影処理手段により撮影された撮像データと、撮影時点において前記表示装置に表示されている画像データに対して前記撮影処理手段により撮影された撮影範囲に合成して表示する表示データに関する情報とを情報端末機器ユーザに入力指定させ、その入力指定された撮像データと表示データに関する情報とを含む表示情報を生成する表示情報生成処理手段と、
前記表示情報生成処理手段により生成された表示情報を電子会議システムに含まれる表示情報管理コンピュータへ送信する表示情報送信手段と、
を有することを特徴とする情報端末機器。
【請求項８】
会議室に設置された表示装置を接続するサーバコンピュータと、会議参加者が使用する撮影機能付き情報端末機器とを有する電子会議システムにおいて、
前記サーバコンピュータにより実施され、前記表示装置の表示画面上における表示位置を特定するためのマーカを前記表示画面に敷き詰めて表示する表示ステップを含み、
前記撮影機能付き情報端末機器搭載のコンピュータにより実施され、
前記表示画面にマーカが表示されているときに、撮影機能を利用して表示画面を部分的に撮影された撮像データを生成する撮影ステップと、
会議参加者が入力した、前記撮影ステップにより撮影された撮像データと、撮影時点において前記表示装置に表示されている画像データに対して前記撮影ステップにより撮影された撮影範囲に合成して表示する表示データに関する情報とを受け付けるステップと、
受け付けた撮像データと表示データに関する情報とを含む表示情報を生成、送信するステップと、
を含み、
前記サーバコンピュータにより実施され、
前記撮影機能付き情報端末機器が送信した表示情報に含まれる撮像データを画像解析することによって前記撮影機能付き情報端末機器で撮影されたマーカを特定するマーカ特定ステップと、
マーカ管理手段から取得した当該マーカの表示位置に関する情報から前記表示画面上における撮影領域を特定する撮影領域特定ステップと、
前記撮影機能付き情報端末機器を用いて撮影した時点において前記表示装置に表示中の画像データと、特定された撮影領域に表示する前記表示データとを合成することで画面イメージを生成する表示画像合成ステップと、
生成された画面イメージを前記表示装置に表示する表示ステップと、
を含むことを特徴とする電子会議支援方法。
【請求項９】
会議室に設置されたコピー元表示装置と、
前記コピー元表示装置と同一または異なる会議室に設置されたコピー先表示装置と、
会議参加者が使用する撮影機能付き情報端末機器と、
前記コピー元表示装置の表示制御を行うと共に、前記コピー元表示装置の表示画面上における表示位置を特定するためのマーカを当該表示画面に敷き詰めて表示するコピー元表示制御手段と、
前記コピー先表示装置の表示制御を行うと共に、前記コピー先表示装置の表示画面上における表示位置を特定するためのマーカを当該表示画面に敷き詰めて表示するコピー先表示制御手段と、
前記コピー元表示装置へのマーカの表示位置に関する情報を保持管理するコピー元マーカ管理手段と、
前記コピー先表示装置へのマーカの表示位置に関する情報を保持管理するコピー先マーカ管理手段と、
前記コピー元表示装置の表示画面にマーカが表示されているときに会議参加者が前記撮影機能付き情報端末機器を用いて当該表示画面を撮影したときのコピー元撮像データを画像解析することによって特定された撮影範囲に含まれる各マーカの表示位置に関する情報を前記コピー元マーカ管理手段から取得し、その取得した当該各マーカの表示位置に関する情報から当該表示画面上における撮影領域を特定するコピー元撮影領域特定処理手段と、
前記コピー先表示装置の表示画面にマーカが重畳表示されているときに会議参加者が前記撮影機能付き情報端末機器を用いて当該表示画面を撮影したときのコピー先撮像データを画像解析することによって特定された撮影範囲に含まれる各マーカの表示位置に関する情報を前記コピー先マーカ管理手段から取得し、その取得した当該各マーカの表示位置に関する情報から当該表示画面上における撮影領域を特定するコピー先撮影領域特定処理手段と、
前記撮影機能付き情報端末機器を用いて撮影した時点において前記コピー元表示装置に表示されている画像データを記憶手段から読み出し、その読み出した画像データのうち前記コピー元撮影領域特定処理手段が特定した撮影領域に含まれる部分の画像データを貼付対象画像データとして抽出する貼付画像抽出処理手段と、
前記撮影機能付き情報端末機器を用いて撮影した時点において前記コピー先表示装置に表示中の画像データと、前記コピー先撮影領域特定処理手段が特定した撮影領域に表示する前記貼付画像データとを合成することで前記コピー先表示装置に表示する画面イメージを生成する表示画像合成処理手段と、
を有することを特徴とする電子会議システム。
【請求項１０】
コンピュータを、
会議室に設置されたコピー元表示装置の表示制御を行うと共に、前記コピー元表示装置の表示画面上における表示位置を特定するためのマーカを当該表示画面に敷き詰めて表示するコピー元表示制御手段、
前記コピー元表示装置へのマーカの表示位置に関する情報を保持管理するコピー元マーカ管理手段、
として機能させる電子会議支援プログラム。
【請求項１１】
会議室に設置されたコピー元表示装置の表示制御を行うと共に、前記コピー元表示装置の表示画面上における表示位置を特定するためのマーカを当該表示画面に敷き詰めて表示するコピー元表示制御手段と、
前記コピー元表示装置へのマーカの表示位置に関する情報を保持管理するコピー元マーカ管理手段と、
を有することを特徴とする電子会議制御装置。
【請求項１２】
コンピュータを、
会議室に設置されたコピー先表示装置の表示制御を行うと共に、前記コピー先表示装置の表示画面上における表示位置を特定するためのマーカを当該表示画面に敷き詰めて表示するコピー先表示制御手段、
前記コピー先表示装置へのマーカの表示位置に関する情報を保持管理するコピー先マーカ管理手段、
コピー先表示装置と同一または異なる会議室に設置されたコピー元表示装置の表示画面にマーカが重畳表示されているときに会議参加者が撮影機能付き情報端末機器を用いて当該表示画面を撮影したときのコピー元撮像データを画像解析することによって特定された撮影範囲に含まれる各マーカの表示位置に関する情報をコピー元マーカ管理手段から取得し、その取得した当該各マーカの表示位置に関する情報から当該表示画面上における撮影領域を特定するコピー元撮影領域特定処理手段、
前記コピー先表示装置の表示画面にマーカが重畳表示されているときに会議参加者が前記撮影機能付き情報端末機器を用いて当該表示画面を撮影したときのコピー先撮像データを画像解析することによって特定された撮影範囲に含まれる各マーカの表示位置に関する情報を前記コピー先マーカ管理手段から取得し、その取得した当該各マーカの表示位置に関する情報から当該表示画面上における撮影領域を特定するコピー先撮影領域特定処理手段、
前記撮影機能付き情報端末機器を用いて撮影した時点において前記コピー元表示装置に表示されている画像データを記憶手段から読み出し、その読み出した画像データのうち前記コピー元撮影領域特定処理手段が特定した撮影領域に含まれる部分の画像データを貼付対象画像データとして抽出する貼付画像抽出処理手段、
前記撮影機能付き情報端末機器を用いて撮影した時点において前記コピー先表示装置に表示中の画像データと、前記コピー先撮影領域特定処理手段が特定した撮影領域に表示する前記貼付画像データとを合成することで前記コピー先表示装置に表示する画面イメージを生成する表示画像合成処理手段、
として機能させる電子会議支援プログラム。
【請求項１３】
会議室に設置されたコピー先表示装置を接続した電子会議制御装置において、
前記コピー先表示装置の表示制御を行うと共に、前記コピー先表示装置の表示画面上における表示位置を特定するためのマーカを当該表示画面に敷き詰めて表示するコピー先表示制御手段と、
前記コピー先表示装置へのマーカの表示位置に関する情報を保持管理するコピー先マーカ管理手段と、
コピー先表示装置と同一または異なる会議室に設置されたコピー元表示装置の表示画面にマーカが重畳表示されているときに会議参加者が撮影機能付き情報端末機器を用いて当該表示画面を撮影したときのコピー元撮像データを画像解析することによって特定された撮影範囲に含まれる各マーカの表示位置に関する情報をコピー元マーカ管理手段から取得し、その取得した当該各マーカの表示位置に関する情報から当該表示画面上における撮影領域を特定するコピー元撮影領域特定処理手段と、
前記コピー先表示装置の表示画面にマーカが重畳表示されているときに会議参加者が前記撮影機能付き情報端末機器を用いて当該表示画面を撮影したときのコピー先撮像データを画像解析することによって特定された撮影範囲に含まれる各マーカの表示位置に関する情報を前記コピー先マーカ管理手段から取得し、その取得した当該各マーカの表示位置に関する情報から当該表示画面上における撮影領域を特定するコピー先撮影領域特定処理手段と、
前記撮影機能付き情報端末機器を用いて撮影した時点において前記コピー元表示装置に表示されている画像データを記憶手段から読み出し、その読み出した画像データのうち前記コピー元撮影領域特定処理手段が特定した撮影領域に含まれる部分の画像データを貼付対象画像データとして抽出する貼付画像抽出処理手段と、
前記撮影機能付き情報端末機器を用いて撮影した時点において前記コピー先表示装置に表示中の画像データと、前記コピー先撮影領域特定処理手段が特定した撮影領域に表示する前記貼付画像データとを合成することで前記コピー先表示装置に表示する画面イメージを生成する表示画像合成処理手段と、
を有することを特徴とする電子会議制御装置。
【請求項１４】
撮影機能搭載の情報端末機器に搭載されたコンピュータを、
表示装置の表示画面上における表示位置を特定するためのマーカが敷き詰めて表示されている状態の会議室設置の表示装置の表示画面を部分的に撮影されたときに撮像データを生成する撮影処理手段、
前記撮影処理手段によりコピー元となる表示装置が撮影されたときの撮像データと、前記撮影処理手段によりコピー先となる表示装置が撮影されたときの撮像データとを含む表示情報を生成する表示情報生成処理手段、
前記表示情報生成処理手段により生成された表示情報を電子会議システムに含まれる表示情報管理コンピュータへ送信する表示情報送信手段、
として機能させる電子会議支援プログラム。
【請求項１５】
表示装置の表示画面上における表示位置を特定するためのマーカが敷き詰めて表示されている状態の会議室設置の表示装置の表示画面を部分的に撮影されたときに撮像データを生成する撮影処理手段と、
前記撮影処理手段によりコピー元となる表示装置が撮影されたときの撮像データと、前記撮影処理手段によりコピー先となる表示装置が撮影されたときの撮像データとを含む表示情報を生成する表示情報生成処理手段と、
前記表示情報生成処理手段により生成された表示情報を電子会議システムに含まれる表示情報管理コンピュータへ送信する表示情報送信手段と、
を有することを特徴とする情報端末機器。
【請求項１６】
会議室に設置されたコピー元表示装置を接続するコピー元会議サーバコンピュータと、前記コピー元表示装置と同一または異なる会議室に設置されたコピー先表示装置を接続するコピー先会議サーバコンピュータと、会議参加者が使用する撮影機能付き情報端末機器とを有する電子会議システムにおいて、
前記コピー元会議サーバコンピュータにより実施され、前記コピー元表示装置の表示画面上における表示位置を特定するためのマーカを当該表示画面に敷き詰めて表示するコピー元表示ステップを含み、
前記撮影機能付き情報端末機器搭載のコンピュータにより実施され、前記コピー元表示装置の表示画面にマーカが表示されているときに、撮影機能を利用して当該表示画面を部分的に撮影された撮像データを生成するコピー元側撮影ステップを含み、
前記コピー先会議サーバコンピュータにより実施され、前記コピー先表示装置の表示画面上における表示位置を特定するためのマーカを当該表示画面に敷き詰めて表示するコピー先表示ステップを含み、
前記撮影機能付き情報端末機器搭載のコンピュータにより実施され、
前記コピー先表示装置の表示画面にマーカが表示されているときに、撮影機能を利用して当該表示画面を部分的に撮影された撮像データを生成するコピー先側撮影ステップと、
前記コピー元側撮影ステップ及び前記コピー先側撮影ステップそれぞれで生成された撮像データを含む表示情報を生成、送信するステップと、
を含み、
を含み、
前記コピー先会議サーバコンピュータにより実施され、
前記コピー元側撮影ステップにより生成されたコピー元撮像データを画像解析することによって特定された撮影範囲に含まれる各マーカの表示位置に関する情報をコピー元マーカ管理手段から取得し、その取得した当該各マーカの表示位置に関する情報から当該表示画面上における撮影領域を特定するコピー元撮影領域特定ステップと、
前記コピー先側撮影ステップにより生成されたコピー先撮像データを画像解析することによって特定された撮影範囲に含まれる各マーカの表示位置に関する情報をコピー先マーカ管理手段から取得し、その取得した当該各マーカの表示位置に関する情報から当該表示画面上における撮影領域を特定するコピー先撮影領域特定ステップと、
前記撮影機能付き情報端末機器を用いて撮影した時点において前記コピー元表示装置に表示されている画像データを記憶手段から読み出し、その読み出した画像データのうち前記コピー元撮影領域特定ステップで特定した撮影領域に含まれる部分の画像データを貼付対象画像データとして抽出する貼付画像抽出ステップと、
前記撮影機能付き情報端末機器を用いて撮影した時点において前記コピー先表示装置に表示中の画像データと、前記コピー先撮影領域特定ステップで特定した撮影領域に表示する前記貼付画像データとを合成することで画面イメージを生成する表示画像合成ステップと、
生成された画面イメージを前記コピー先表示装置に表示する表示ステップと、
を含むことを特徴とする電子会議支援方法。
【発明の詳細な説明】
【技術分野】
【０００１】
本発明は、電子会議システム、特に会議資料を表示装置に表示しながら会議を行う会議形態において画像データを即興的に追加表示したい場合における表示手法に関する。
【背景技術】
【０００２】
近年、会議の効率化等を図るために電子会議システムを導入する企業は少なくない。電子会議システムは、必ずしも遠隔地間をネットワーク接続して実施する会議に限定されるものではなく、会議に参加する者がそれぞれコンピュータなどの情報機器を利用しながら行われる会議と定義することができる。
【０００３】
従来の電子会議システムには、例えば電子白板のように会議室に設置されたタッチパネル表示デバイスを備えたシステム構成を有するものがある。タッチパネル表示デバイスを利用することで、会議参加者は、同じ会議資料を参照でき、また必要に応じて表示された会議資料に書込みをしながら議論を行うことが可能になる。タッチパネル表示デバイスに表示する内容は、会議の発表者が会議資料を電子化するなどして事前に用意しておき、議論の内容に合わせて表示する資料を適宜切り替えるという利用形態が一般的である。
【０００４】
ところで、会議中、議論の内容によっては、補足資料が要求される場合がある。また、補足資料を発表者以外の参加者が持っている場合もあり得る。このような場合、補足資料を持つ会議参加者は、個人で使用している端末装置に補足資料を画面表示し、タッチパネル表示デバイスの表示を、その参加者使用の端末装置の表示内容に切り替えることで補足資料を共有化することができる（例えば、特許文献１，２）。
【０００５】
【特許文献１】特開平１０−７９７３５号公報
【特許文献２】特開２０００−２３６３２９号公報
【特許文献３】特開２００４−３１７５８３号公報
【特許文献４】特開２００３−２３４８６２号公報
【発明の開示】
【発明が解決しようとする課題】
【０００６】
しかしながら、従来においては、会議中に追加する情報を会議参加者が共用するタッチパネル表示デバイスに表示することは可能であるが、追加情報を現在の表示内容と切り替えて表示することしかできなかった。すなわち、現在の表示内容に追加情報を集積し表示することはできない。
【０００７】
これに対し、特許文献３では、各会議参加者がそれぞれ使用する端末の表示内容を大型スクリーン上でレイヤー化して重畳表示することは可能である。しかし、表示内容をレイヤー管理するなど処理が煩雑で、また表示内容を単に重畳表示するに留まり、また重畳表示された各内容を画面イメージとして集積することはできなかった。
【０００８】
本発明は、以上のような課題を解決するためになされたものであり、会議参加者が持つ画像データを簡便な操作によって表示装置に集積可能にすることを目的とする。
【課題を解決するための手段】
【０００９】
以上のような目的を達成するために、本発明に係る電子会議システムは、会議室に設置された表示装置と、会議参加者が使用する撮影機能付き情報端末機器と、前記表示装置の表示制御を行うと共に、前記表示装置の表示画面上における表示位置を特定するためのマーカを前記表示画面に敷き詰めて表示する表示制御手段と、マーカの表示位置に関する情報を保持管理するマーカ管理手段と、前記表示画面にマーカが表示されているときに会議参加者が前記撮影機能付き情報端末機器を用いて前記表示画面を部分的に撮影したときの撮像データを画像解析することによって特定された撮影範囲に含まれる各マーカの表示位置に関する情報を前記マーカ管理手段から取得し、その取得した当該各マーカの表示位置に関する情報から前記表示画面上における撮影領域を特定する撮影領域特定処理手段と、特定された撮影領域に表示する表示データを取得する取得手段と、前記撮影機能付き情報端末機器を用いて撮影した時点において前記表示装置に表示中の画像データと前記表示データとを合成することで前記表示装置に表示する画面イメージを生成する表示画像合成処理手段とを有することを特徴とする。
【００１０】
本発明に係る電子会議支援プログラムは、会議室に設置された表示装置を接続したコンピュータを、前記表示装置の表示制御を行うと共に、前記表示装置の表示画面上における表示位置を特定するためのマーカを前記表示画面に敷き詰めて表示する表示制御手段、マーカの表示位置に関する情報を保持管理するマーカ管理手段、前記表示画面にマーカが表示されているときに会議参加者が撮影機能付き情報端末機器を用いて前記表示画面を部分的に撮影したときの撮像データを画像解析することによって特定された撮影範囲に含まれる各マーカの表示位置に関する情報を前記マーカ管理手段から取得し、その取得した当該各マーカの表示位置に関する情報から前記表示画面上における撮影領域を特定する撮影領域特定処理手段、特定された撮影領域に表示する表示データを取得する取得手段、前記撮影機能付き情報端末機器を用いて撮影した時点において前記表示装置に表示中の画像データと前記表示データとを合成することで前記表示装置に表示する画面イメージを生成する表示画像合成処理手段として機能させる。
【００１１】
また、前記コンピュータを更に、会議参加者の前記表示画面への接近を検出する検出手段として機能させ、前記表示制御手段は、前記検出手段が会議参加者の接近を検出したときにマーカを表示中の画面イメージに撮影可能に画面表示することを特徴とする。
【００１２】
また、マーカの表示位置に関する情報は、マーカの識別情報と、当該マーカが画面表示されたときに前記表示装置に表示中の画像データを特定するための情報と、当該マーカの前記表示画面における表示位置を特定するための情報とを対応付して構成されることを特徴とする。
【００１３】
本発明に係る電子会議制御装置は、会議室に設置された表示装置の表示制御を行うと共に、前記表示装置の表示画面上における表示位置を特定するためのマーカを前記表示画面に敷き詰めて表示する表示制御手段と、マーカの表示位置に関する情報を保持管理するマーカ管理手段と、前記表示画面にマーカが表示されているときに会議参加者が撮影機能付き情報端末機器を用いて前記表示画面を部分的に撮影したときの撮像データを画像解析することによって特定された撮影範囲に含まれる各マーカの表示位置に関する情報を前記マーカ管理手段から取得し、その取得した当該各マーカの表示位置に関する情報から前記表示画面上における撮影領域を特定する撮影領域特定処理手段と、特定された撮影領域に表示する表示データを取得する取得手段と、前記撮影機能付き情報端末機器を用いて撮影した時点において前記表示装置に表示中の画像データと前記表示データとを合成することで前記表示装置に表示する画面イメージを生成する表示画像合成処理手段とを有することを特徴とする。
【００１４】
本発明に係る電子会議支援プログラムは、撮影機能搭載の情報端末機器に搭載されたコンピュータを、表示画面上における表示位置を特定するためのマーカが敷き詰めて表示されている状態の会議室設置の表示装置の表示画面を部分的に撮影されたときに撮像データを生成する撮影処理手段、前記撮影処理手段により撮影された撮像データと、撮影時点において前記表示装置に表示されている画像データに対して前記撮影処理手段により撮影された撮影範囲に合成して表示する表示データに関する情報とを情報端末機器ユーザに入力指定させ、その入力指定された撮像データと表示データに関する情報とを含む表示情報を生成する表示情報生成処理手段、前記表示情報生成処理手段により生成された表示情報を電子会議システムに含まれる表示情報管理コンピュータへ送信する表示情報送信手段として機能させる。
【００１５】
本発明に係る情報端末機器は、表示画面上における表示位置を特定するためのマーカが敷き詰めて表示されている状態の会議室設置の表示装置の表示画面を部分的に撮影されたときに撮像データを生成する撮影処理手段、前記撮影処理手段により撮影された撮像データと、撮影時点において前記表示装置に表示されている画像データに対して前記撮影処理手段により撮影された撮影範囲に合成して表示する表示データに関する情報とを情報端末機器ユーザに入力指定させ、その入力指定された撮像データと表示データに関する情報とを含む表示情報を生成する表示情報生成処理手段と、前記表示情報生成処理手段により生成された表示情報を電子会議システムに含まれる表示情報管理コンピュータへ送信する表示情報送信手段とを有することを特徴とする。
【００１６】
本発明に係る電子会議支援方法は、会議室に設置された表示装置を接続するサーバコンピュータと、会議参加者が使用する撮影機能付き情報端末機器とを有する電子会議システムにおいて、前記サーバコンピュータにより実施され、前記表示装置の表示画面上における表示位置を特定するためのマーカを前記表示画面に敷き詰めて表示する表示ステップを含み、前記撮影機能付き情報端末機器搭載のコンピュータにより実施され、前記表示画面にマーカが表示されているときに、撮影機能を利用して表示画面を部分的に撮影された撮像データを生成する撮影ステップと、会議参加者が入力した、前記撮影ステップにより撮影された撮像データと、撮影時点において前記表示装置に表示されている画像データに対して前記撮影ステップにより撮影された撮影範囲に合成して表示する表示データに関する情報とを受け付けるステップと、受け付けた撮像データと表示データに関する情報とを含む表示情報を生成、送信するステップとを含み、前記サーバコンピュータにより実施され、前記撮影機能付き情報端末機器が送信した表示情報に含まれる撮像データを画像解析することによって前記撮影機能付き情報端末機器で撮影されたマーカを特定するマーカ特定ステップと、マーカ管理手段から取得した当該マーカの表示位置に関する情報から前記表示画面上における撮影領域を特定する撮影領域特定ステップと、前記撮影機能付き情報端末機器を用いて撮影した時点において前記表示装置に表示中の画像データと、特定された撮影領域に表示する前記表示データとを合成することで画面イメージを生成する表示画像合成ステップと、生成された画面イメージを前記表示装置に表示する表示ステップとを含むことを特徴とする。
【００１７】
本発明に係る電子会議システムは、会議室に設置されたコピー元表示装置と、前記コピー元表示装置と同一または異なる会議室に設置されたコピー先表示装置と、会議参加者が使用する撮影機能付き情報端末機器と、前記コピー元表示装置の表示制御を行うと共に、前記コピー元表示装置の表示画面上における表示位置を特定するためのマーカを当該表示画面に敷き詰めて表示するコピー元表示制御手段と、前記コピー先表示装置の表示制御を行うと共に、前記コピー先表示装置の表示画面上における表示位置を特定するためのマーカを当該表示画面に敷き詰めて表示するコピー先表示制御手段と、前記コピー元表示装置へのマーカの表示位置に関する情報を保持管理するコピー元マーカ管理手段と、前記コピー先表示装置へのマーカの表示位置に関する情報を保持管理するコピー先マーカ管理手段と、前記コピー元表示装置の表示画面にマーカが表示されているときに会議参加者が前記撮影機能付き情報端末機器を用いて当該表示画面を撮影したときのコピー元撮像データを画像解析することによって特定された撮影範囲に含まれる各マーカの表示位置に関する情報を前記コピー元マーカ管理手段から取得し、その取得した当該各マーカの表示位置に関する情報から当該表示画面上における撮影領域を特定するコピー元撮影領域特定処理手段と、前記コピー先表示装置の表示画面にマーカが重畳表示されているときに会議参加者が前記撮影機能付き情報端末機器を用いて当該表示画面を撮影したときのコピー先撮像データを画像解析することによって特定された撮影範囲に含まれる各マーカの表示位置に関する情報を前記コピー先マーカ管理手段から取得し、その取得した当該各マーカの表示位置に関する情報から当該表示画面上における撮影領域を特定するコピー先撮影領域特定処理手段と、前記撮影機能付き情報端末機器を用いて撮影した時点において前記コピー元表示装置に表示されている画像データを記憶手段から読み出し、その読み出した画像データのうち前記コピー元撮影領域特定処理手段が特定した撮影領域に含まれる部分の画像データを貼付対象画像データとして抽出する貼付画像抽出処理手段と、前記撮影機能付き情報端末機器を用いて撮影した時点において前記コピー先表示装置に表示中の画像データと、前記コピー先撮影領域特定処理手段が特定した撮影領域に表示する前記貼付画像データとを合成することで前記コピー先表示装置に表示する画面イメージを生成する表示画像合成処理手段とを有することを特徴とする。
【００１８】
本発明に係る電子会議支援プログラムは、コンピュータを、会議室に設置されたコピー元表示装置の表示制御を行うと共に、前記コピー元表示装置の表示画面上における表示位置を特定するためのマーカを当該表示画面に敷き詰めて表示するコピー元表示制御手段、前記コピー元表示装置へのマーカの表示位置に関する情報を保持管理するコピー元マーカ管理手段として機能させる。
【００１９】
本発明に係る電子会議制御装置は、会議室に設置されたコピー元表示装置の表示制御を行うと共に、前記コピー元表示装置の表示画面上における表示位置を特定するためのマーカを当該表示画面に敷き詰めて表示するコピー元表示制御手段と、前記コピー元表示装置へのマーカの表示位置に関する情報を保持管理するコピー元マーカ管理手段とを有することを特徴とする。
【００２０】
本発明に係る電子会議支援プログラムは、コンピュータを、会議室に設置されたコピー先表示装置の表示制御を行うと共に、前記コピー先表示装置の表示画面上における表示位置を特定するためのマーカを当該表示画面に敷き詰めて表示するコピー先表示制御手段、前記コピー先表示装置へのマーカの表示位置に関する情報を保持管理するコピー先マーカ管理手段、コピー先表示装置と同一または異なる会議室に設置されたコピー元表示装置の表示画面にマーカが重畳表示されているときに会議参加者が撮影機能付き情報端末機器を用いて当該表示画面を撮影したときのコピー元撮像データを画像解析することによって特定された撮影範囲に含まれる各マーカの表示位置に関する情報をコピー元マーカ管理手段から取得し、その取得した当該各マーカの表示位置に関する情報から当該表示画面上における撮影領域を特定するコピー元撮影領域特定処理手段、前記コピー先表示装置の表示画面にマーカが重畳表示されているときに会議参加者が前記撮影機能付き情報端末機器を用いて当該表示画面を撮影したときのコピー先撮像データを画像解析することによって特定された撮影範囲に含まれる各マーカの表示位置に関する情報を前記コピー先マーカ管理手段から取得し、その取得した当該各マーカの表示位置に関する情報から当該表示画面上における撮影領域を特定するコピー先撮影領域特定処理手段、前記撮影機能付き情報端末機器を用いて撮影した時点において前記コピー元表示装置に表示されている画像データを記憶手段から読み出し、その読み出した画像データのうち前記コピー元撮影領域特定処理手段が特定した撮影領域に含まれる部分の画像データを貼付対象画像データとして抽出する貼付画像抽出処理手段、前記撮影機能付き情報端末機器を用いて撮影した時点において前記コピー先表示装置に表示中の画像データと、前記コピー先撮影領域特定処理手段が特定した撮影領域に表示する前記貼付画像データとを合成することで前記コピー先表示装置に表示する画面イメージを生成する表示画像合成処理手段として機能させる。
【００２１】
本発明に係る電子会議制御装置は、会議室に設置されたコピー先表示装置を接続した電子会議制御装置において、前記コピー先表示装置の表示制御を行うと共に、前記コピー先表示装置の表示画面上における表示位置を特定するためのマーカを当該表示画面に敷き詰めて表示するコピー先表示制御手段と、前記コピー先表示装置へのマーカの表示位置に関する情報を保持管理するコピー先マーカ管理手段と、コピー先表示装置と同一または異なる会議室に設置されたコピー元表示装置の表示画面にマーカが重畳表示されているときに会議参加者が撮影機能付き情報端末機器を用いて当該表示画面を撮影したときのコピー元撮像データを画像解析することによって特定された撮影範囲に含まれる各マーカの表示位置に関する情報をコピー元マーカ管理手段から取得し、その取得した当該各マーカの表示位置に関する情報から当該表示画面上における撮影領域を特定するコピー元撮影領域特定処理手段と、前記コピー先表示装置の表示画面にマーカが重畳表示されているときに会議参加者が前記撮影機能付き情報端末機器を用いて当該表示画面を撮影したときのコピー先撮像データを画像解析することによって特定された撮影範囲に含まれる各マーカの表示位置に関する情報を前記コピー先マーカ管理手段から取得し、その取得した当該各マーカの表示位置に関する情報から当該表示画面上における撮影領域を特定するコピー先撮影領域特定処理手段と、前記撮影機能付き情報端末機器を用いて撮影した時点において前記コピー元表示装置に表示されている画像データを記憶手段から読み出し、その読み出した画像データのうち前記コピー元撮影領域特定処理手段が特定した撮影領域に含まれる部分の画像データを貼付対象画像データとして抽出する貼付画像抽出処理手段と、前記撮影機能付き情報端末機器を用いて撮影した時点において前記コピー先表示装置に表示中の画像データと、前記コピー先撮影領域特定処理手段が特定した撮影領域に表示する前記貼付画像データとを合成することで前記コピー先表示装置に表示する画面イメージを生成する表示画像合成処理手段とを有することを特徴とする。
【００２２】
本発明に係る電子会議支援プログラムは、撮影機能搭載の情報端末機器に搭載されたコンピュータを、表示装置の表示画面上における表示位置を特定するためのマーカが敷き詰めて表示されている状態の会議室設置の表示装置の表示画面を部分的に撮影されたときに撮像データを生成する撮影処理手段、前記撮影処理手段によりコピー元となる表示装置が撮影されたときの撮像データと、前記撮影処理手段によりコピー先となる表示装置が撮影されたときの撮像データとを含む表示情報を生成する表示情報生成処理手段、前記表示情報生成処理手段により生成された表示情報を電子会議システムに含まれる表示情報管理コンピュータへ送信する表示情報送信手段として機能させる。
【００２３】
本発明に係る情報端末機器は、表示装置の表示画面上における表示位置を特定するためのマーカが敷き詰めて表示されている状態の会議室設置の表示装置の表示画面を部分的に撮影されたときに撮像データを生成する撮影処理手段と、前記撮影処理手段によりコピー元となる表示装置が撮影されたときの撮像データと、前記撮影処理手段によりコピー先となる表示装置が撮影されたときの撮像データとを含む表示情報を生成する表示情報生成処理手段と、前記表示情報生成処理手段により生成された表示情報を電子会議システムに含まれる表示情報管理コンピュータへ送信する表示情報送信手段とを有することを特徴とする。
【００２４】
本発明に係る電子会議支援方法は、会議室に設置されたコピー元表示装置を接続するコピー元会議サーバコンピュータと、前記コピー元表示装置と同一または異なる会議室に設置されたコピー先表示装置を接続するコピー先会議サーバコンピュータと、会議参加者が使用する撮影機能付き情報端末機器とを有する電子会議システムにおいて、前記コピー元会議サーバコンピュータにより実施され、前記コピー元表示装置の表示画面上における表示位置を特定するためのマーカを当該表示画面に敷き詰めて表示するコピー元表示ステップを含み、前記撮影機能付き情報端末機器搭載のコンピュータにより実施され、前記コピー元表示装置の表示画面にマーカが表示されているときに、撮影機能を利用して当該表示画面を部分的に撮影された撮像データを生成するコピー元側撮影ステップを含み、前記コピー先会議サーバコンピュータにより実施され、前記コピー先表示装置の表示画面上における表示位置を特定するためのマーカを当該表示画面に敷き詰めて表示するコピー先表示ステップを含み、前記撮影機能付き情報端末機器搭載のコンピュータにより実施され、前記コピー先表示装置の表示画面にマーカが表示されているときに、撮影機能を利用して当該表示画面を部分的に撮影された撮像データを生成するコピー先側撮影ステップと、前記コピー元側撮影ステップ及び前記コピー先側撮影ステップそれぞれで生成された撮像データを含む表示情報を生成、送信するステップとを含み、前記コピー先会議サーバコンピュータにより実施され、前記コピー元側撮影ステップにより生成されたコピー元撮像データを画像解析することによって特定された撮影範囲に含まれる各マーカの表示位置に関する情報をコピー元マーカ管理手段から取得し、その取得した当該各マーカの表示位置に関する情報から当該表示画面上における撮影領域を特定するコピー元撮影領域特定ステップと、前記コピー先側撮影ステップにより生成されたコピー先撮像データを画像解析することによって特定された撮影範囲に含まれる各マーカの表示位置に関する情報をコピー先マーカ管理手段から取得し、その取得した当該各マーカの表示位置に関する情報から当該表示画面上における撮影領域を特定するコピー先撮影領域特定ステップと、前記撮影機能付き情報端末機器を用いて撮影した時点において前記コピー元表示装置に表示されている画像データを記憶手段から読み出し、その読み出した画像データのうち前記コピー元撮影領域特定ステップで特定した撮影領域に含まれる部分の画像データを貼付対象画像データとして抽出する貼付画像抽出ステップと、前記撮影機能付き情報端末機器を用いて撮影した時点において前記コピー先表示装置に表示中の画像データと、前記コピー先撮影領域特定ステップで特定した撮影領域に表示する前記貼付画像データとを合成することで画面イメージを生成する表示画像合成ステップと、生成された画面イメージを前記コピー先表示装置に表示する表示ステップとを含むことを特徴とする。
【発明の効果】
【００２５】
本発明によれば、表示装置の表示画面において表示したい領域を、撮影機能付き情報端末機器を用いて会議参加者に撮影させ、その撮影領域に表示すべき表示データと、撮影時点において表示中の画像データとを合成し画面イメージを生成できるようにしたので、表示画面上における表示データの表示領域を簡単に指定させることができる。また、撮影機能付き情報端末機器を用いて表示画面を会議参加者に撮影させるだけで、表示データと当該表示データを表示させる画像データとの関連付けを簡便に行うことができる。
【００２６】
また、表示装置において表示されている内容またはその一部分を、他の表示装置に貼り付ける、いわゆるコピー＆ペーストに相当する機能を、撮影機能付き情報端末機器の撮影機能を用いて簡単に行うことができる。
【発明を実施するための最良の形態】
【００２７】
以下、図面に基づいて、本発明の好適な実施の形態について説明する。
【００２８】
実施の形態１．
図１は、本発明に係る電子会議システムの一実施の形態を示した概略的な全体構成図である。図１には、携帯電話１０、文書管理サーバ２０、表示情報管理サーバ３０及び会議サーバ４０がネットワーク２にて接続された構成が示されている。携帯電話１０は、カメラ機能付きの携帯電話機であって電子会議システムを利用して行われる会議への参加者によって使用される。会議参加者は、それぞれ携帯電話１０と共にＲＦＩＤタグ１１も携帯している。文書管理サーバ２０は、会議資料等を電子化して生成された画像データを保持管理するために用いられるサーバコンピュータである。表示情報管理サーバ３０は、携帯電話１０から送られてくる表情報を受信し、保持管理するために用いられるサーバコンピュータである。会議サーバ４０は、電子会議システム全体の制御を行うために用いられるサーバコンピュータである。会議サーバ４０には、会議室内に設置された大型ディスプレイ４１及びＲＦＩＤセンサ４２が接続されている。大型ディスプレイ４１は、会議室内にいる会議参加者全員から見える位置に設置されたプレゼンテーションに用いられる表示装置である。ＲＦＩＤセンサ４２は、各会議参加者が携帯するＲＦＩＤタグ１１を検出することによって会議参加者の大型ディスプレイ４１への接近を検出する検出手段である。なお、図１では、点線によって検出領域４を概念的に示している。
【００２９】
なお、ネットワーク２は、携帯電話網や電子会議システムを使用する事業所内に設置したＬＡＮ等種々の通信網により実現されているが、ネットワーク構成自体は、本実施の形態の要旨でないため、図１では簡略して図示した。
【００３０】
図２は、本実施の形態における電子会議システムのブロック構成図である。なお、図１に示した装置に相当する構成には、同じ符号を付ける。
【００３１】
携帯電話１０は、撮影処理部１２、表示情報生成処理部１３及び表示情報送信処理部１４を有している。撮影処理部１２は、携帯電話１０に搭載されたカメラ機能を実行することで、撮像データを生成する。表示情報生成処理部１３は、大型ディスプレイ４１を部分的に撮影したときの撮像データと、大型ディスプレイ４１に表示する表示データに関する情報とを関連付けることで表示情報を生成する。表示情報送信処理部１４は、電子メール機能を利用して、生成された表示情報を表示情報管理サーバ３０へ送信する。携帯電話１０の上記各手段１２〜１４における処理機能は、携帯電話１０に搭載されたＣＰＵと、そのＣＰＵで動作する電子会議支援プログラムとの協調動作により実現される。
【００３２】
文書管理サーバ２０は、大型ディスプレイ４１に表示する画像データを格納する画像データ記憶部２１を有している。会議の発表者等により事前に用意された会議資料データは、文書管理サーバ２０で保持管理される。
【００３３】
表示情報管理サーバ３０は、表示情報受付部３１、画像データ解析処理部３２及び表示情報配信部３３を有している。表示情報受付部３１は、携帯電話１０から送られてくる表示情報を受信することによって、会議参加者による大型ディスプレイ４１へ追加的に表示したい画像データの表示指示を受け付ける。画像データ解析処理部３２は、受信した画像データに対し画像解析を行うことで撮影されたマーカの各マーカＩＤ及び大型ディスプレイ４１を接続する会議サーバ４０を特定する。表示情報配信部３３は、特定された会議サーバ４０へ画像解析後の表示情報を送信する。表示情報管理サーバ３０の上記各手段３１〜３３における処理機能は、表示情報管理サーバ３０を構築するコンピュータと、そのコンピュータ搭載のＣＰＵで動作する電子会議支援プログラムとの協調動作により実現される。
【００３４】
会議サーバ４０は、表示情報結合部４３、表示制御部４４、近接ユーザ検出部４５及びマーカ管理部４６を有している。表示情報結合部４３は、表示情報管理サーバ３０から送られてくる表示情報を受信し、その表情報に基づき携帯電話１０から要求された表示画像データを、携帯電話１０を使用する会議参加者により指定された大型ディスプレイ４１における表示領域に表示できるよう、その表示画像データと表示領域を関連付ける。表示制御部４４は、詳細は後述するマーカを大型ディスプレイ４１にタイルのように敷き詰めて表示するなど、大型ディスプレイ４１の表示制御全般を行う。表示制御部４４に含まれる表示画像合成部４７は、会議参加者が携帯電話１０を用いて撮影した時点において大型ディスプレイ４１に表示中の画像データと、表示情報結合部４３により表示領域に関連付けられた表示画像データとを合成することで大型ディスプレイ４１に表示する画面イメージを生成する。近接ユーザ検出部４５は、ＲＦＩＤセンサ４２と協調動作することでＲＦＩＤタグ１１の検出によっていずれかの会議参加者の大型ディスプレイ４１への接近を検出する。マーカ管理部４６は、表示制御部４４が大型ディスプレイ４１に表示するマーカの表示位置に関する情報を保持管理する。会議サーバ４０の上記各手段４３〜４６における処理機能は、会議サーバ４０を構築するコンピュータと、そのコンピュータ搭載のＣＰＵで動作する電子会議支援プログラムとの協調動作により実現される。
【００３５】
図３は、マーカ管理部４６が保持管理するマーカの表示位置に関する情報の設定例を示した図であり、図４は、大型ディスプレイ４１と各マーカとの位置関係を示した概念図である。また、図５は、大型ディスプレイ４１にマーカが表示されたときの画面例を示した図である。以下、これらの図を用いて、本実施の形態で用いるマーカについて説明する。
【００３６】
マーカ５１は、表示制御部４４による制御のもと必要なときに図５に例示したように大型ディスプレイ４１に表示され、マーカＩＤをコード化して表現されるコードデータである。本実施の形態における各図では、便宜的にマーカ５１を白抜きで図示しているが、本実施の形態では、ＱＲコードなどの白黒による表示パターンの２次元データで形成することを想定している。マーカＩＤは、他のマーカと識別可能なコードであるが、本実施の形態では、マーカを表示する会議サーバ４０の識別データがコードの中に含まれている。マーカは、大型ディスプレイ４１に表示されるときに新たに生成される。
【００３７】
図４に示したように、正方形のマーカ５１の中心位置の座標データを（ｘ０，ｙ０）としたとき、図３に示したマーカ管理テーブルには、各マーカＩＤに、当該マーカの表示位置情報として設定された中心座標データを対応付け登録される。なお、本実施の形態では、全てのマーカのサイズを固定かつ全て同一としているが、異ならせたいのであれば、サイズに関するデータを合わせて登録すればよい。本実施の形態では、大型ディスプレイ４１の大きさに対する相対的な位置関係、すなわち大型ディスプレイ４１のＸ，Ｙ方向の各辺の長さを１としたときの割合でマーカの表示位置を定義するようにしたので、大型ディスプレイ４１に表示する画像データの拡縮にも容易に対応することができる。本実施の形態におけるマーカＩＤは、以上のように大型ディスプレイ４１における表示位置を特定するための情報であることから、マーカが表示された大型ディスプレイ４１を携帯電話１０のカメラで撮影したとき、撮像データに含まれるマーカＩＤを特定すれば、カメラによる撮影領域を特定することができる。ただ、マーカＩＤを認識することで大型ディスプレイ４１のどの部分を撮影したかという撮影領域を特定することはできるが、携帯電話１０のカメラで撮影されたときに大型ディスプレイ４１に表示されていた画面イメージを特定できない。そこで、本実施の形態では、更に各マーカＩＤに表示中であった画面データに割り振られた表示コンテントＩＤを対応付けして設定するようにした。このマーカ管理テーブルには、新たな画面イメージが表示されるたびに、当該表示コンテントＩＤに対応したレコードが逐次生成され、登録される。
【００３８】
本実施の形態では、携帯電話１０で撮影した画像データを、簡単なユーザ操作で大型ディスプレイ４１の所望する表示領域に表示することができることを特徴としているが、会議中に、携帯電話１０で撮影した画像データを大型ディスプレイ４１に表示するまでの本実施の形態における動作について、以下に説明する。
【００３９】
まず、会議に参加する者は、それぞれ個人使用の携帯電話１０とＲＦＩＤタグ１１を携帯して会議室に集まり、会議が開始される。会議で使用する会議資料データは、発表者等により文書管理サーバ２０に予め登録されており、会議は、発表者が大型ディスプレイ４１に表示する画像データを切り替えながら進行される。この電子会議システムを利用した通常の会議における画像データの表示に関しては、従前と同じでよいため説明を省略する。
【００４０】
ここで、例えば、会議において設備の障害等について議論しているときに問題が生じた写真を大型ディスプレイ４１に表示させたいとする。この写真は、文書管理サーバ２０に予め登録されておらず、ある会議参加者の携帯電話１０のみに保存されているものとする。写真を提供する会議参加者は、写真を大型ディスプレイ４１に表示させるために大型ディスプレイ４１の前まで移動する。そして、ＲＤＩＤセンサ４２によるＲＦＩＤタグ１１の検出領域４まで進入してくると、近接ユーザ検出部４５は、会議参加者の大型ディスプレイ４１への接近を検出する。表示制御部４４は、近接ユーザ検出部４５が会議参加者を検出すると、マーカを大型ディスプレイ４１に表示する。例えば、図６に示した会議資料が大型ディスプレイ４１に表示されているときに会議参加者の接近が検出されると、表示制御部４４は、図５に示したように表示中の会議資料に重畳させてマーカを表示する。
【００４１】
一方、携帯電話１０側では、次の処理が実行される。大型ディスプレイ４１の前に立った会議参加者は、本実施の形態において提供するアプリケーションを起動する。図７は、本アプリケーションの一部で実現される表示情報生成処理部１３によって形成、表示される表示画面の遷移を示した図である。アプリケーションが起動されると、まず、図７（ａ）に示した画面が表示される。この画面レイアウトには、大型ディスプレイ４１に表示させたい画像データのファイル名を選択する貼付情報装填設定領域５３、送信対象の画像をサムネイル表示するサムネイル表示領域５４及び照準ボタン５５が示されている。なお、照準ボタン５５及び後述する各種ボタンは、携帯電話１０のいずれかのボタンに対応付けられているので、実際には、携帯電話１０に備えられたボタンを押下することになる。
【００４２】
会議参加者は、まず携帯電話１０で保持している画像データファイルのリストの中から表示対象の画像データを選択する。図７（ａ）では、“トラブル写真3.jpg”が選択された例を示している。会議参加者が選択した画像データは、サムネイル表示領域５４への表示にて確認できる。会議参加者が画像データを選択し、サムネイル表示領域５４で送信画像を確認した後、照準ボタン５５を押下すると、カメラ機能を発揮する撮影処理部１２が起動される。そして、前述したように、大型ディスプレイ４１にマーカ５１が表示されている状態で、会議参加者は、大型ディスプレイ４１の画面上の一部分を撮影する。この撮影するときの概念図を図８に示す。また、図７（ｂ）は、照準を合わせるときの携帯電話１０の表示例であり、カメラのレンズが捉えている撮影範囲が表示領域５６に表示される。
【００４３】
図８において、破線で示した撮影範囲５２が携帯電話１０によって撮影される範囲であり、この撮影範囲５２が提供される写真の表示領域となる。撮影範囲５２は、一般に矩形形状なので、図７（ｂ）及び図８に例示したように、撮影範囲５２には、正方形のマーカ５１が複数含まれることになる。撮影範囲５２に含まれるマーカ５１の数は、撮影範囲５２とマーカ５１の各形状やサイズの関係に依存することになる。そして、会議参加者が撮影ボタン５７を押下して撮影すると、撮影処理部１２は、表示領域５２に表示された撮影範囲の画像データを生成する。
【００４４】
以上の処理では、会議参加者が提供する写真を大型ディスプレイ４１に表示するために、大型ディスプレイ４１の表示部分の一部を写真の表示領域として会議参加者に撮影させるようにした。この携帯電話１０による撮影領域と、写真の表示領域との対応付けをするために、本実施の形態では、マーカ５１を利用して、大型ディスプレイ４１の各表示位置を特定できるようにした。つまり、携帯電話１０によって撮影したいのは、会議資料ではなくマーカ５１である。従って、会議参加者がＲＦＩＤセンサ４２の検出領域４に進入したときに表示中の会議資料を薄く表示したりするなど、撮像データから撮影されたマーカＩＤが確実に抽出できるように表示制御をすることが好ましい。表示中の会議資料を完全に消去してもよいが、そうすると、文字列等が表示されていない空き部分に写真を表示させたいときに、その空き領域がわかりにくくなるので、本実施の形態では、撮影されたマーカＩＤの検出に支障を来さない程度に会議資料を表示するようにした。あるいは、マーカ５１と会議資料とは、重畳表示されるので、マーカ５１の背面に会議資料を表示するようにしてもよい。
【００４５】
また、本実施の形態において、マーカ５１を画面表示したり、会議資料を薄く表示したりする表示制御を行うトリガは、会議参加者の検出領域４への進入検出時点としている。また、会議参加者は、検出領域４に進入してからはじめて大型ディスプレイ４１に表示されたマーカ５１を撮影することができるようになので、以上のことを考慮して検出領域４の範囲や位置を設定することが望ましい。
【００４６】
なお、本実施の形態では、ＲＦＩＤセンサ４２とＲＦＩＤタグ１１を利用して、会議参加者の大型ディスプレイ４１への接近を自動検出し、前述したマーカ５１の表示制御等を行うようにした。ただ、以上の処理では、携帯電話１０を利用して会議参加者に撮影を行わせる際に、マーカ５１が撮影させることを目的としているので、必ずしもＲＦＩＤセンサ４２等を利用する必要はなく、例えば、会議参加者による大型ディスプレイ４１への接触、会議サーバ４０の入力手段操作等何らかのマニュアル操作をさせ、そのユーザ操作を検出することでマーカ５１の表示等を行うように構成してもよい。
【００４７】
以上のように、携帯電話１０の撮影ボタン５７が押下されることによって撮影されると、表示情報送信処理部１４は、携帯電話１０が持つ電子メール機能を利用して表示情報管理サーバ３０へ大型ディスプレイ４１への表示のために必要な表示情報を電子メールとして生成、送信することになる。
【００４８】
図９は、表示情報管理サーバ３０へ送信する電子メールの内容例を示した図である。図９（ａ）に示したように、表示情報送信処理部１４は、宛先に表示情報管理サーバ３０のメールアドレス、メール送信者として携帯電話１０のメールアドレス、件名として任意のタイトルを設定する。更に、表示情報送信処理部１４は、第１の添付ファイルとして撮影した画像データのファイル名、第２の添付ファイルとして撮影範囲に表示したい画像データのファイル名（上記例の“トラブル写真3.jpg”）を設定する。なお、画像データのファイル名は、携帯電話１０に搭載されたアプリケーションが任意に決める。また、この場合、電子メール本文は、不要である。表示情報送信処理部１４は、以上のように撮影ボタン５７の押下に応じて撮影及び表示情報を含む電子メールの生成、送信する。
【００４９】
なお、上記説明では、大型ディスプレイ４１に表示する画像データは、携帯電話１０に存在する場合を例にしたが、必ずしも携帯電話１０に存在するファイルに限られるものではない。携帯電話１０に存在しない画像データを表示させたい場合、会議参加者は、表示させたい画像データを図７（ａ）に示した貼付情報装填設定領域５３に入力指定する代わりに画像データの格納先をメール本文に記述する。この処理にて生成された電子メールの内容例を図９（ｂ）に示す。
【００５０】
前述した携帯電話１０における大型ディスプレイ４１の撮影処理と電子メールの送信処理は、会議参加者による撮影ボタン５７の押下により実施される。そして、電子メールの送信が終了すると、図７（ｃ）に例示した確認画面が表示される。その後、会議参加者は、ＯＫボタン５８若しくはアプリケーションの終了ボタン５９を押下することでアプリケーションを終了させる。一方、各サーバ２０〜４０は、表示情報管理サーバ３０による電子メール受信に応じて、取得した画像データを撮影範囲５２に表示する処理を行う。大型ディスプレイ４１への表示処理を実施した後の画面表示例を図１０に示すが、以下、携帯電話１０から送信された電子メールを受信してから大型ディスプレイ４１に追加情報（この例では“トラブル写真3.jpg”）を表示するまでの処理について説明する。
【００５１】
表示情報管理サーバ３０において、表示情報受付部３１がいずれかの携帯電話１０から送られてきた電子メールを受信すると、画像データ解析処理部３２は、その受信メールに第１の添付ファイルとして添付された画像データを解析することによって撮影された各マーカを抽出すると共に、抽出した各マーカのマーカＩＤを取得する。マーカＩＤには、会議サーバ４０を特定する情報が含まれているので、表示情報配信部３３は、復号後のマーカＩＤ等を含む表示情報を、マーカＩＤの解析により特定された会議サーバ４０へ送信する。
【００５２】
会議サーバ４０において、表示情報管理サーバ３０から追加情報の表示に必要な表示情報が送られてくると、表示情報結合部４３は、次のようにして大型ディスプレイ４１に追加情報を表示するために必要な情報を生成する。以下、表示情報結合部４３における処理について図１１に示したフローチャートを用いて説明する。
【００５３】
まず、表示情報結合部４３は、送られてきた画像解析済みの表示情報に表示対象の画像データの実体が含まれているか否かを判断する（ステップ１１０）。前述した図９（ａ）の形式の電子メールであれば、受信した表示情報に画像データの実体が含まれているが、図９（ｂ）の形式の電子メールであれば、画像データの実体が含まれていない。従って、画像データの実体が含まれていない場合、表示情報結合部４３は、電子メール本文に記載されたＵＲＬを参照に画像データの実体ファイルを取り出し取得する（ステップ１２０）。そして、表示情報結合部４３は、表示対象の画像データの実体ファイルを文書管理サーバ２０の所定格納領域に書き込み格納し、その格納先を特定する情報としてＵＲＬを取得する（ステップ１３０）。なお、管理上、表示対象の画像データ格納先を文書管理サーバ２０としたが、表示する上では、会議サーバ４０内の留めておいても問題ない。
【００５４】
続いて、表示情報結合部４３は、送られてきた表示情報に含まれるマーカＩＤに基づきマーカ管理部４６に問い合わせることで、マーカ管理部４６がマーカ管理テーブルから読み出した当該各マーカＩＤに対応する表示コンテントＩＤ及び当該各マーカの表示位置情報（中心座標）を取得する（ステップ１４０）。そして、表示情報結合部４３は、以上の処理に得られた情報から、表示する画像データに関する情報を生成して表示リンクテーブルに設定登録する（ステップ１５０）。
【００５５】
図１２は、本実施の形態における表示リンクテーブルのデータ構成例を示した図である。図１２に示したように、表示情報結合部４３は、表示する画像データを特定する情報として、取得した撮影時点で大型ディスプレイ４１に表示されていた画像データ（会議資料）の表示コンテントＩＤと、表示中の画像データに対して追加表示する画像データの格納先情報（本実施の形態ではＵＲＬ）と、追加表示する画像データの表示領域座標とを対応付けして登録する。表示コンテントＩＤはステップ１４０で、格納先情報はステップ１３０で、それぞれ得ている。表示領域座標は、各マーカの中心座標データと各マーカのサイズデータから算出できる。これらの情報を設定登録することで、撮影時に大型ディスプレイ４１に表示されていた画像データ（会議資料）と、画像データに追加表示する画像データ（写真）とを関連付ける。
【００５６】
図１３は、追加表示する画像データの表示位置情報の設定内容を説明するための概念図である。本実施の形態において、画像データの表示領域は、前述した撮影範囲５２に相当するが、この表示領域を特定するために、矩形形状の表示領域の左上角の座標データ（ｘ１，ｙ１）と右下角の座標データ（ｘ２，ｙ２）を画像データの表示位置情報として設定する。もちろん、画像データの表示位置情報は、四隅の座標データを全て持つなどこれに限定する必要はない。
【００５７】
以上のように、各画像データを関連付けると、表示情報結合部４３は、表示制御部４４に大型ディスプレイ４１への表示を指示する（ステップ１６０）。
【００５８】
表示制御部４４の表示画像合成部４７は、リンクテーブルに登録された表示コンテントＩＤに基づき文書管理サーバ２０に問い合わせることで撮影時点において表示中であった画像データを取得する。文書管理サーバ２０は、表示コンテントＩＤと当該ＩＤで識別される画像データの格納先情報（ＵＲＬ）との対応テーブルを有しており、この対応テーブルを参照して、問合せ時に受け付けた表示コンテントＩＤを参照に画像データのＵＲＬを取得し、そのＵＲＬから画像データの実体を読み出して会議サーバ４０へ返送する。なお、現在でも当該画像データを表示していたり、過去に表示した際の画像データをまだ保持しているのであれば、その画像データを利用してもよい。また、表示画像合成部４７は、リンクテーブルに登録された追加表示対象の画像データのＵＲＬに基づき文書管理サーバ２０に問い合わせることで当該画像データを取得する。表示画像合成部４７は、このようにして取得した各画像データを合成することで大型ディスプレイ４１に表示する画面イメージを生成する。この処理の結果、表示制御部４４は、図１０に示した画面イメージを大型ディスプレイ４１に表示する。
【００５９】
各サーバ２０〜４０の性能等にも依存するが、会議参加者は、以上のように電子メール機能を利用して表示情報を表示情報管理サーバ３０に送信すると、そのメール送信直後に図１０に示した画面、すなわち表示中の会議資料の携帯電話１０にて撮影した範囲５２に、追加表示したい写真を表示させることができる。また、表示された画面イメージは、電子会議システムが持つ画面イメージ保存機能により文書管理サーバ２０に登録されることになるので、会議資料と追加表示する画像データとを関連付けて保持管理することができる。
【００６０】
本実施の形態によれば、会議のために予め準備していない資料であっても、追加的に資料を表示させたい会議参加者が、本実施の形態の特徴とするアプリケーションを起動して、表示させたい大型ディスプレイ４１を撮影し、メール送信するだけで、その撮影した領域に追加表示したい資料を簡便に表示させることができる。
【００６１】
なお、写真等の追加情報を現在表示中の会議資料と関連付けして管理できるように、また会議資料と追加情報の双方を同時に表示させて、双方を参照しながら議論を行うことが現実的であることから、大型ディスプレイ４１の表示部分の一部分を撮影させて追加情報を表示することが望ましいが、大型ディスプレイ４１の表示部分全体を撮影させて追加情報を画面全体に表示するように利用することも可能である。
【００６２】
また、本実施の形態では、追加表示する画像データとの関連付けをする表示中の画像データを特定するための情報として表示コンテントＩＤを用いた。そのようにして各表示画像毎に一意のコンテントＩＤを割り当てると単一の広大な識別子空間を使用することになるが、もしそれが好ましくないような場合には、例えば、会議資料全体を識別する文書ＩＤと、左記会議資料の中の各ページの画像が実際に表示されていた時刻情報と、表示が行われた表示装置のＩＤとを組み合わせた複合的な識別子を用いて、追加表示する画像データとの関連付けを行うようにしても良い。
【００６３】
実施の形態２．
上記実施の形態１では、表示中の画面イメージに追加的に表示したい画像データを、携帯電話の撮影機能を用いて撮影した撮影範囲に表示するようにした。本実施の形態は、大型ディスプレイを部分的に撮影した画像データを、携帯電話の撮影機能を用いて他の大型ディスプレイを部分的に撮影した撮影範囲に表示するようにした。本実施の形態は、端的に言うと、実施の形態１を応用することでコピー＆ペースト機能を提供するシステムということができる。
【００６４】
図１４は、本実施の形態における電子会議システムを示した概略的な全体構成図である。なお、実施の形態１と同じ構成要素には、同じ符号を付ける。本実施の形態は、基本的には実施の形態１と同じ構成であるが、コピー＆ペーストを行うため、会議室に対応して設ける構成、具体的には会議サーバ４０Ａ，４０Ｂ、大型ディスプレイ４１Ａ，４１Ｂ及びＲＦＩＤセンサ４２Ａ，４２Ｂを各会議室Ａ，Ｂに対応させて設ける。なお、図１４では、便宜的に大型ディスプレイ４１Ａ，４１Ｂそれぞれの前に会議参加者が持つ携帯電話１０とＲＦＩＦタグ１１を図示しているが、同一会議参加者が画像データのコピー＆ペーストを行うため、実際は同一部材である。
【００６５】
本実施の形態における各構成のブロック構成は、実施の形態１と同じく図２に示したブロック構成で表すことができる。ただ、ネットワーク２には、２台の会議サーバ４０Ａ，４０Ｂがそれぞれ接続されることになる。各会議サーバ４０Ａ，４０Ｂは、実施の形態１において説明した会議サーバ４０と多少異なる処理を実施するし、コピー元の会議サーバ４０Ａとコピー先の会議サーバ４０Ｂの各処理内容も多少異なるが、その沿いする点については、追って説明する。また、各会議室サーバ４０Ａ，４０Ｂがそれぞれ有するマーカの表示位置に関する情報のデータ構成は、図３に示した実施の形態１と同じでよい。
【００６６】
次に、本実施の形態における動作について説明する。ここでは、あるユーザが、会議室Ａで行われている電子会議に参加し、大型ディスプレイ４１Ａに表示されている画像データの一部分を携帯電話１０のカメラで撮影し、その後、会議室Ｂで行われている電子会議に参加し、携帯電話１０を用いて会議室Ａで撮影した画像データを大型ディスプレイ４１Ｂの画面上に貼り付ける場合を例にして説明する。なお、実施の形態１と同様の処理については、適宜説明を簡略若しくは省略する。
【００６７】
まず、あるユーザは、個人使用の携帯電話１０とＲＦＩＤタグ１１を携帯して会議室Ａで行われる電子会議に参加する。会議で使用する会議資料データは、発表者等により文書管理サーバ２０に予め登録されており、会議は、発表者が大型ディスプレイ４１に表示する画像データを切り替えながら進行される。
【００６８】
ここで、例えば、情報や議題の共有化等の理由で大型ディスプレイ４１Ａに表示されていた内容を、他の会議室Ｂの大型ディスプレイ４１Ｂでも表示したいとする。このとき、会議参加者は、大型ディスプレイ４１Ａの前まで移動し、ＲＦＩＤセンサ４２ＡによるＲＦＩＤタグ１１の検出領域４Ａまで進入すると、会議サーバ４０Ａの近接ユーザ検出部４５は、会議参加者の大型ディスプレイ４１Ａへの接近を検出する。これにより、会議サーバ４０Ａの表示制御部４４は、マーカを大型ディスプレイ４１Ａに表示する。その後、会議参加者は、携帯電話１０のカメラを使用して他の大型ディスプレイ４１Ｂにコピーしたい表示部分を撮影する。会議参加者が検出領域４Ａに進入したときの大型ディスプレイ４１Ａの画面表示例を図１５に示すが、会議参加者は、大型ディスプレイ４１Ｂにコピーしたい表示部分を撮影する。ここで、会議参加者によって撮影対象とされるのは、撮影範囲５２に含まれる画像データではなく、画像データの表示位置を特定するためのマーカである。
【００６９】
会議参加者は、以上のように会議室Ａではコピーしたい部分を撮影するだけである。また、会議サーバ４０Ａは、会議参加者の大型ディスプレイ４１Ａへの接近によりマーカを画面表示するに留まるので、前述したように表示情報結合部４３と表示画像合成部４７は不要である。
【００７０】
会議室Ａで撮影をした後、ユーザは、今度は会議室Ｂで行われている電子会議に参加する。そして、会議参加者は、大型ディスプレイ４１Ｂの前まで移動し、ＲＤＩＤセンサ４２ＢによるＲＦＩＤタグ１１の検出領域４Ｂまで進入すると、会議サーバ４０Ｂの近接ユーザ検出部４５は、会議参加者の大型ディスプレイ４１Ｂへの接近を検出する。これにより、会議サーバ４０Ｂの表示制御部４４は、マーカを大型ディスプレイ４１Ｂに表示する。会議参加者が検出領域４Ｂに進入したときの大型ディスプレイ４１Ｂの画面表示例を図１６に示す。
【００７１】
大型ディスプレイ４１の前に立った会議参加者は、携帯電話１０を操作して本実施の形態において提供するアプリケーションを起動する。図１７は、本アプリケーションの一部で実現される表示情報生成処理部１３によって形成、表示される表示画面の遷移を示した図である。基本的には、実施の形態１と同じである。すなわち、図１７（ａ）において、携帯電話１０で保持している画像データファイルのリストの中からコピーしたい画像データを選択する。図１７（ａ）では、“20060101-020304.jpg”が選択された例を示している。これは、会議室Ａでの撮影により生成された画像データファイルであり、このファイル名は、携帯電話１０に搭載されたアプリケーションによって自動的に付与される。本実施の形態では、撮影日時が特定できるようにファイル名を付ける。なお、コピー＆ペースト機能という観点から直前に撮影した画像データを自動的に選出するようにしてもよい。会議参加者が選択した画像データをサムネイル表示領域５４での表示で確認した後、照準ボタン５５を押下すると、カメラ機能を発揮する撮影処理部１２が起動される。そして、会議参加者は、コピー先とする表示領域を決めた大型ディスプレイ４１Bの画面上の一部分を撮影する。この撮影するときの概念図を図１８に示す。また、図１７（ｂ）は、照準を合わせるときの携帯電話１０の表示例であり、カメラのレンズが捉えている撮影範囲が表示領域５６に表示される。
【００７２】
携帯電話１０の撮影ボタン５７が押下されることによって撮影されると、表示情報送信処理部１４は、携帯電話１０が持つ電子メール機能を利用して表示情報管理サーバ３０へ大型ディスプレイ４１Ｂへの表示のために必要な表示情報を電子メールとして生成、送信することになる。
【００７３】
図１９は、表示情報管理サーバ３０へ送信する電子メールの内容例を示した図である。図１９に示したように、表示情報送信処理部１４は、宛先に表示情報管理サーバ３０のメールアドレス、メール送信者として携帯電話１０のメールアドレス、件名として任意のタイトルを設定する。更に、表示情報送信処理部１４は、第１の添付ファイルとして会議室Ａにて撮影したコピー元画像データのファイル名（上記例の“20060101-020304.jpg”）、第２の添付ファイルとして会議室Ｂにて撮影したコピー先画像データのファイル名を設定する。また、この場合、電子メール本文は、不要である。表示情報送信処理部１４は、以上のように撮影ボタン５７の押下に応じて撮影及び表示情報を含む電子メールの生成、送信する。そして、電子メールの送信が終了すると、図１７（ｃ）に例示した確認画面が表示される。その後、会議参加者は、ＯＫボタン５８若しくはアプリケーションの終了ボタン５９を押下することでアプリケーションを終了させる。会議参加者は、以上で必要な操作を終え、図２０に示したように、大型ディスプレイ４１Ｂは、コピー＆ペースト終了時の画面表示となる。以上のように、携帯電話１０に対するユーザ操作は、基本的には実施の形態１と同様である。
【００７４】
表示情報管理サーバ３０において、表示情報受付部３１がいずれかの携帯電話１０から送られてきた電子メールを受信すると、画像データ解析処理部３２は、その受信メールに第１及び第２の添付ファイルとして添付された各画像データを解析することによって、各画像データから撮影された各マーカを抽出すると共に、抽出した各マーカのマーカＩＤを取得する。マーカＩＤには、会議サーバ４０を特定する情報が含まれているので、表示情報配信部３３は、第２の添付ファイルに添付された画像データから特定した会議サーバ、この場合は会議サーバ４０Ｂへ、各画像データを復号して得たマーカＩＤ等を含む表示情報を送信する。
【００７５】
会議サーバ４０Ｂにおいて、表示情報管理サーバ３０からコピー＆ペーストに必要な表示情報が送られてくると、表示情報結合部４３は、次のようにして大型ディスプレイ４１Ｂにコピー元の画像データを表示するために必要な情報を生成する。以下、会議サーバ４０Ｂの表示情報結合部４３における処理について図２１に示したフローチャートを用いて説明する。
【００７６】
まず、表示情報結合部４３は、コピー元画像データから特定されたマーカＩＤの表示位置情報（中心座標）を会議サーバ４０Ａから取得し、この取得した各マーカの中心座標データと各マーカのサイズデータから計算により大型ディスプレイ４１Ａにおける撮影範囲５２を特定する（ステップ２１０）。また、コピー元画像データから特定されたマーカＩＤに基づき会議サーバ４０Ａのマーカ管理テーブルから対応する表示コンテントＩＤを取得し、この表示コンテントＩＤに基づき文書管理サーバ２０に問い合わせることで、会議室Ａでの撮影時点において大型ディスプレイ４１Ａに表示されていた画像データを取得する。そして、取得した画像データのうちステップ２１０で特定した撮影領域５２に対応する部分の画像データを抽出する（ステップ２２０）。このようにして抽出した画像データが実際に大型ディスプレイ４１Ｂに貼り付けられる画像データである。表示情報結合部４３は、抽出した画像データの実体ファイルを文書管理サーバ２０の所定格納領域に書き込み格納し、その格納先を特定する情報としてＵＲＬを取得する（ステップ２３０）。
【００７７】
このコピー対象の画像データファイルの格納先情報（ＵＲＬ）を取得するまでの処理は、実施の形態１における図１１のステップ１１０〜１３０に相当する。そして、これ以降に説明する処理は、実施の形態１のステップ１４０以降の処理とほぼ同様である。
【００７８】
すなわち、表示情報結合部４３は、コピー先画像データから特定されたマーカＩＤに基づき当該各マーカの表示位置情報（中心座標）及び表示コンテントＩＤをマーカ管理部４６から取得し（ステップ２４０）、表示コンテントＩＤと、ステップ２３０にて取得したＵＲＬと、各マーカの中心座標データと各マーカのサイズデータから算出できる表示領域座標とを対応付けして、図１２に示した表示リンクテーブルに登録する（ステップ２５０）。これらの情報を設定登録することで、大型ディスプレイ４１Ａから抜き出し、大型ディスプレイ４１Ｂに貼り付ける画像データ（会議資料）の一部と、大型ディスプレイ４１Ｂに貼り付ける領域とを関連付ける。以上のように、画像データとその画像データの貼付領域とを関連付けると、表示情報結合部４３は、表示制御部４４に大型ディスプレイ４１Ｂへの表示を指示する（ステップ２６０）。
【００７９】
会議サーバ４０Ｂにおける表示制御部４４の表示画像合成部４７は、表示リンクテーブルに登録された表示コンテントＩＤに基づき文書管理サーバ２０に問い合わせることで撮影時点において表示中であった画像データを取得する。なお、現在でも当該画像データを表示していたり、過去に表示した際の画像データをまだ保持しているのであれば、その画像データを利用してもよい。また、表示画像合成部４７は、表示リンクテーブルに登録された貼付対象の画像データのＵＲＬに基づき文書管理サーバ２０に問い合わせることで当該画像データを取得する。表示画像合成部４７は、このようにして取得した各画像データを合成することで大型ディスプレイ４１に表示する画面イメージを生成する。なお、貼付対象の画像データの貼付場所は、対応付けして登録された表示領域座標から特定できる。以上の処理の結果、表示制御部４４は、図２０に示した画面イメージを大型ディスプレイ４１Ｂに表示する。
【００８０】
本実施の形態によれば、以上のようにしてある大型ディスプレイ４１Ａに表示されている内容を、他の大型ディスプレイ４１Ｂにコピーすることができる。本実施の形態では、貼付対象画像データとして、携帯電話１０のカメラで撮影して生成される撮像データを用いずに、文書管理サーバ２０で管理されている画像データから撮影範囲に含まれるデータ部分を切り出して用いるようにしたので、コピー先にて貼り付ける画像データの画質に劣化がない。
【００８１】
また、本実施の形態では、大型ディスプレイ４１における撮影範囲などの領域を特定する情報を、大型ディスプレイ４１の大きさに対する比率という相対的な情報で取り扱うようにしたので、コピー元での撮影範囲とコピー先での撮影範囲とにサイズの差があったとしてもその比率によって貼付画像を拡縮すればよいので、指定表示領域内への画像表示処理も簡単である。
【００８２】
また、本実施の形態では、会議室Ａの大型ディスプレイ４１Ａを撮影した画像を、異なる会議室Ｂの大型ディスプレイ４１Ｂへコピーする場合を例にして説明したが、必ずしも異なる会議室に設置された大型ディスプレイ４１のみを対象とするわけではなく、１つの会議室に双方の大型ディスプレイ４１Ａ，４１Ｂを設置するよう構成した場合にも適用可能である。また、大型ディスプレイ４１Ａと大型ディスプレイ４１Ｂは同一部材であり、貼付対象の画像を取得した日と画像を貼り付けた日が異なるような利用でもよい。また、本実施の形態では、大型ディスプレイ４１それぞれに対応させて会議サーバ４０を設けたが、１台の会議サーバ４０で複数の大型ディスプレイ４１の表示制御を行うように構成した場合にも適用可能である。
【００８３】
また、表示中の画面イメージには、複数の画像データを合成することは可能であり、複数の画像データを合成していくことで、各種情報を集積することができる。
【図面の簡単な説明】
【００８４】
【図１】本発明に係る電子会議システムの実施の形態１を示した概略的な全体構成図である。
【図２】実施の形態１における電子会議システムのブロック構成図である。
【図３】実施の形態１におけるマーカ管理部が保持管理するマーカの表示位置に関する情報の設定例を示した図である。
【図４】実施の形態１において大型ディスプレイと各マーカとの位置関係を示した概念図である。
【図５】実施の形態１において大型ディスプレイにマーカが表示されたときの画面例を示した図である。
【図６】実施の形態１において大型ディスプレイに表示された会議資料の画面表示例を示した図である。
【図７】実施の形態１において携帯電話の表示画面の遷移を示した図である。
【図８】実施の形態１において会議参加者が大型ディスプレイの画面上の一部分を撮影するときの概念図である。
【図９】実施の形態１において表示情報管理サーバへ送信する電子メールの内容例を示した図である。
【図１０】実施の形態１において大型ディスプレイへの表示処理を実施した後の画面表示例を示した図である。
【図１１】実施の形態１における表示情報結合部が実施する処理を示したフローチャートである。
【図１２】実施の形態１における表示リンクテーブルのデータ構成例を示した図である。
【図１３】実施の形態１において追加表示する画像データの表示位置情報の設定内容を説明するための概念図である。
【図１４】実施の形態２における電子会議システムを示した概略的な全体構成図である。
【図１５】実施の形態２において会議参加者がコピー元の大型ディスプレイの画面上の一部分を撮影するときの概念図である。
【図１６】実施の形態２においてコピー先の大型ディスプレイの画面表示例を示した図である。
【図１７】実施の形態２において携帯電話の表示画面の遷移を示した図である。
【図１８】実施の形態２において会議参加者がコピー先の大型ディスプレイの画面上の一部分を撮影するときの概念図である。
【図１９】実施の形態２において表示情報管理サーバへ送信する電子メールの内容例を示した図である。
【図２０】実施の形態２において大型ディスプレイへ貼付処理を実施した後の画面表示例を示した図である。
【図２１】実施の形態２における表示情報結合部が実施する処理を示したフローチャートである。
【符号の説明】
【００８５】
２  ネットワーク、１０  携帯電話、１１  ＲＦＩＤタグ、１２  撮影処理部、１３  表示情報生成処理部、１４  表示情報送信処理部、２０  文書管理サーバ、２１  画像データ記憶部、３０  表示情報管理サーバ、３１  表示情報受付部、３２  画像データ解析処理部、３３  表示情報配信部、４０，４０Ａ，４０Ｂ  会議サーバ、４１，４１Ａ，４１Ｂ  大型ディスプレイ、４２，４２Ａ，４２Ｂ  ＲＦＩＤセンサ、４３  表示情報結合部、４４  表示制御部、４５  近接ユーザ検出部、４６  マーカ管理部、４７  表示画像合成部、５１  マーカ。
【図１】
2007221363.tif 000003
【図２】
2007221363.tif 000004
【図３】
2007221363.tif 000005
【図４】
2007221363.tif 000006
【図５】
2007221363.tif 000007
【図６】
2007221363.tif 000008
【図７】
2007221363.tif 000009
【図８】
2007221363.tif 000010
【図９】
2007221363.tif 000011
【図１０】
2007221363.tif 000012
【図１１】
2007221363.tif 000013
【図１２】
2007221363.tif 000014
【図１３】
2007221363.tif 000015
【図１４】
2007221363.tif 000016
【図１５】
2007221363.tif 000017
【図１６】
2007221363.tif 000018
【図１７】
2007221363.tif 000019
【図１８】
2007221363.tif 000020
【図１９】
2007221363.tif 000021
【図２０】
2007221363.tif 000022
【図２１】
2007221363.tif 000023